(57)【要約】電気通信モジュールは、内部および外部を備えたハウジングと、外部電線の接続および／または内部電気構成要素または外部電気構成要素の接続を可能にするため、および／または別の電気通信モジュールの接点にタップをつけることができるようにするために、内部から外部まで延在する複数の接点要素（１２、４０）とを有し、少なくとも２つの接点要素（１２、１４）は、内部電線（２８、３２、４０、４２）によってハウジングの内部で互いに接続される。
2007500490.tif 000002
【特許請求の範囲】
【請求項１】
内部および外部を備えたハウジングと、外部電線の接続および／または内部電気構成要素または外部電気構成要素の接続を可能にするため、および／または別の電気通信モジュールの接点にタップをつけることができるようにするために、前記内部から前記外部まで延在する複数の接点要素（１２、１４）と、を有し、少なくとも２つの前記接点要素（１２、１４）は、内部電線（２８、３２、４０、４２）によって前記ハウジングの前記内部で互いに接続されることを特徴とする、電気通信モジュール。
【請求項２】
内部接点要素（２６、３０、３８、４４、４８）をさらに具備することを特徴とする、請求項１記載の電気通信モジュール。
【請求項３】
前記接点要素（１４）は平坦であることを特徴とする、請求項１または２に記載の電気通信モジュール。
【請求項４】
前記接点要素は、単一の屈曲部（１４、４４、４６）を具備することを特徴とする、請求項１乃至３のいずれか１項に記載の電気通信モジュール。
【請求項５】
前記接点要素（１２、３０、３８、２６）は、互いに平行な軸を中心にして複数の屈曲部を具備することを特徴とする、請求項１乃至３のいずれか１項に記載の電気通信モジュール。
【請求項６】
前記内部電線（２８、３２、４０、４２）は、前記内部電線（２８、３２、４０、４２）の絶縁体を除去することによって、前記接点要素（１２、２６、３０、３８、４４、４８、１４）と接続されることを特徴とする、請求項１乃至５のいずれか１項に記載の電気通信モジュール。
【請求項７】
前記内部電線（２８、３２、４０、４２）は、はんだ付けによって前記接点要素（１２、２６、３０、３８、４４、４８、１４）と接続されることを特徴とする、請求項１乃至６のいずれか１項に記載の電気通信モジュール。
【請求項８】
前記接点要素（１２、１４；３０、３８）は、対（５２、５４）に設けられ、第１の対（５２）の前記接点要素は、対撚り線（２８、３２；４０、４２）によって第２の対（５４）の前記接点要素と接続されることを特徴とする、請求項１乃至７のいずれか１項に記載の電気通信モジュール。
【請求項９】
前記接点要素（１２、１４）は、前記ハウジングの外側で絶縁体除去接点として形成されることを特徴とする、請求項１乃至８のいずれか１項に記載の電気通信モジュール。
【請求項１０】
前記電気構成要素は、避雷器、過電流保護装置または過電圧保護装置、フィルタ、スプリッタ回路および／または線の試験および／または監視を行うための構成要素であることを特徴とする、請求項１乃至９のいずれか１項に記載の電気通信モジュール。
【発明の詳細な説明】
【技術分野】
【０００１】
本発明は、電気通信モジュールに関する。
【背景技術】
【０００２】
電気通信システムにおいて、電線または電気構成要素を互いに接続するために、さまざまなタイプのモジュールが用いられ、たとえば、接続モジュールが、最終的には加入者につながる電線をパッチケーブルまたはジャンパ線の一端と接続するために用いられる。このような接続モジュールは、配線盤または配線ラックなどの分配器に配置されることができる。分配器はまた、最終的には電話会社の切替装置につながる電線がパッチケーブルの他端に接続される接続モジュールも収容する。
【０００３】
第二に、保護要素を具備し、接続モジュールの接点にタップをつける態様で接続モジュールに取り付けられることができるさまざまなタイプの保護モジュールまたはプラグが周知である。保護モジュール内に配置される１つ以上の避雷器によって、接続モジュールで終端される電線と接続される任意の機器を過電圧または過電流から保護することができる。当業者はさらに、過電圧保護装置または過電流保護装置を具備する保護モジュールに精通しており、接続モジュールの接点と適切に接続された保護モジュールの接点にタップをつけることによって、上述の機器を過電流から保護する。
【０００４】
最後に、接続モジュールのハウジングに組み込まれた上述の保護構成要素をさらに具備する接続モジュールが、当業界では周知である。言い換えれば、接続モジュールは保護構成要素を収容し、保護構成要素は適切に設計された接点要素によってそのような接点と電気的に接続され、接点は電線を接続することができるようにするために接続モジュールの外側に対して露出される。特に、上述したタイプのうち後者の接続モジュールでは、保護構成要素の一般的な形状のほか、構成要素を作動させた後に、構成要素を交換する必要性を考慮に入れて、必要とされる接点要素は必要な電気接続を実現するためにきわめて複雑な形状を有する可能性がある。最後に、接点要素の形状は分離点が存在するためにさらに複雑である可能性があり、２つの接点要素は分離点で分離可能な態様で互いに弾性的に当接する。この構造に鑑みて、電気接続を遮断し、試験または類似の操作を行うために、外部から挿入されることができる適切な手段によって、接点要素は互いから電気的に分離されることができる。
【０００５】
特許文献１は、接点が保護構成要素の特別な配置によって実質的に平坦に構成されることができる電気通信システム用の保護モジュールについて記載している。
【特許文献１】独国実用新案第２０００２３７８号明細書
【発明の開示】
【発明が解決しようとする課題】
【０００６】
本発明は、接点要素をきわめて簡素に設計することができ、漏話特性を改善することができる電気通信モジュールを提供する。
【課題を解決するための手段】
【０００７】
新規な電気通信モジュールは、いずれのタイプであってもよい。特に、導入部で述べた電気通信モジュールのタイプについて言及する。したがって、電気通信モジュールは、いずれのタイプの分配器のいずれのタイプのキャリアに取付け可能であってもよく、いずれのタイプの電線、パッチケーブルまたはジャンパ線を接続することができるように構成されてもよい。さらに、電気通信モジュールは、１箇所以上の分離点のほか、その中に収容される電気構成要素を有することができる。その上、モジュールは、フィルタなどの電気構成要素を含む他のモジュールと接続されることができる。さらに、結合された信号を個別の信号に分離するためにＡＤＳＬ技術または一般にＸＤＳＬ技術との接続に用いることができるいわゆるスプリッタモジュールを提供するために、１つ以上のスプリッタ回路をモジュール内に組込むことができる。また、電気通信モジュールと接続される線の試験および監視を可能にするために、試験手段および監視手段がモジュール内に設けられてもよく、またはモジュールと接続されてもよい。さらに、電気通信モジュールは、電線が接続されるモジュールの接点にタップをつけるように構成される接点を有するモジュールであってもよい。そのようなモジュールは、保護要素および／またはフィルタなどの電気構成要素を収容することができる。本発明は、上述のタイプのうち任意の電気通信モジュールのほか、当業界では周知の任意の他の電気通信モジュールに適用可能である。
【０００８】
第一に、新規な電気通信モジュールは、内部および外部または外側を備えたハウジングを有する。ハウジングは一般に、絶縁体材料、特にプラスチック材料から形成され、外側に一定の機能を実現するように適切に設計される。たとえば、モジュールをキャリアに取り付けることができるような構造であってもよい。さらに、ハウジングは、外側に、モジュールの接点に接続される電線またはケーブルを案内するための適切な要素を有することができる。また、保護モジュールの場合には、ハウジングは通常、接続モジュールに取り付けられるように構成される。
【０００９】
第二に、電気通信モジュールは、ハウジングの内部から外側まで延在する複数の接点要素を具備する。これに関連して、接点要素を以下に記載される態様のいずれかで用いることができるようにするために、外側からアクセス可能であるように、接点要素が露出されれば十分である。言い換えれば、電気通信モジュールの接点要素はハウジングの輪郭または外形から延在することが可能であるが、必要ではない。もっと正確に言えば、電線の接続用に露出させるために、接点要素がハウジングに形成される凹部またはチャンバの内部に配置されるのであれば、必要とされる機能もまた実現することができる。しかし、特に保護モジュールを形成する電気通信モジュールの場合には、接点要素はまた、ハウジングの外形から延在することもできる。
【００１０】
電気通信モジュールの接点要素は、外側から少なくともアクセス可能であり、電気通信モジュールのタイプに応じて、さまざまな機能を実現するように構成される。第一に、特に接続モジュールの場合には、外部電線を接点要素と接続することができる。この目的のために、接点要素は、外側に対して露出されるその部分に絶縁体除去接点（ｉｎｓｕｌａｔｉｏｎ  ｄｉｓｐｌａｃｅｍｅｎｔ  ｃｏｎｔａｃｔ）、巻線接点または類似の接点として形成することができる。第二に、接点要素は、接点要素と内部電気構成要素または外部電気構成要素との接続を可能にするように構成することができ、たとえば、接点要素は、電気通信モジュールのハウジング内部に、保護要素、フィルタ、スプリッタ回路および／または試験手段または監視手段などの電気構成要素と電気的に接続されるように構成される端部分を有することができる。交換可能な電気構成要素を具備する接続モジュールの場合には、これらの構成要素は、外側からアクセス可能であってもよい。そのような場合には、これらの構成要素と電気的に接続されるように構成される接点要素の部分は、外側に対して露出されていると考えることができる。
【００１１】
第三に、電気通信モジュールの接点要素は、別の電気通信モジュールの接点にタップをつけるように構成することができる。これは特に保護モジュールに関して当てはまり、保護モジュールは接続モジュールの中に挿入され、その接点にタップをつけるために、モジュールのハウジングから延在するタップ用接点を具備する。避雷器および／または過電流保護装置などの構成要素によって、接続モジュールで終端される電線と接続される任意の機器は、過電圧および／または過電流から保護される。上述したように、本発明は、そのようなタイプの保護モジュールに十分に適用可能である。
【００１２】
電気通信モジュールにおいて、少なくとも２つの接点要素が、内部電線によってハウジングの内部で相互に接続される。言い換えれば、ハウジングの外側のそのようなモジュールと接続されるために、これまで周知であったに過ぎない可撓性の電線が、電気通信モジュールの２つの接点要素を接続するために、電気通信モジュールのハウジングの内側で用いられる。この方策により、接点要素の構造を著しく簡素化することが可能となる。導入部で記載したように、分離点の形成および保護要素および／またはフィルタなどの電気構成要素との電気的な接続を可能にするために、比較的複雑な接点要素を設けることが必要である。
【００１３】
新規な電気通信モジュールにおいて、「機能的接点要素」の構成要素を成すために、接点要素は簡素化されることができる。これは、内部電線が別の機能を実現することができるようにするために、特定の接点要素が唯一の機能またはきわめて少数の機能を実現することを意味しており、たとえば接続モジュールにおいて、外部電線の接続を可能にするために、絶縁体除去部分を備えた簡素かつ平坦なシート金属部品を用いることができる。電気通信モジュールの内部において、接点要素が内部電線の一端と接続される。内部電線の他端は、１つの別の機能、好ましくは唯一の機能を実現するために必要であるに過ぎないため、比較的簡素に設計することができる別の機能的接点要素と接続される。たとえば、別の接点要素は、外側電線の接続を可能にするように構成することができるか、または保護構成要素と電気的に接続されることができる。
【００１４】
新規な内部配線によって、接点要素は、特有の機能のために「専用に」形成することができる。これは、接点要素の特有の特性を向上する。さらに、第１の端部で第１の機能を実現し、第２の端部で第２の機能を実現するように構成される接点要素を形成することは必要ではないため、設定要素を簡素な状態にしておくことができる。この要件は、比較的複雑な接点要素によって通例克服されていた。電気経路の特定の端部で実行されることになっている特有の機能のための「専用の」「機能的」接点要素間に必要な電気接続のために、内部電線を設けることによって、これを排除することができる。
【００１５】
平坦なシート金属から構成される接点要素の接続部分ではなく、内部電線を使用することにより、漏話特性もまた改善される。このような平坦なシート金属部分は、特に、高速データ通信の場合には、隣接する接点要素間の漏話を生じる原因となる可能性があることが分かっている。このため、隣接する接点要素間の距離を長くすることおよび／または隣接する接点要素間に遮蔽板などの遮蔽手段を設けることが必要である。内部電線を使用することによって、平坦なシート金属から構成される接点要素は、比較的短く形成することができるため、結果として生じる可能性を著しく低減することができる。さらに、特に、撚り線を用いる場合には、内部電線は、関連する可能性を生じることはないため、それぞれが内部電線によって別の接点要素と接続されている隣接する接点要素間の漏話を著しく低減することができる。特に、新規な電気通信モジュールのサイズを小さくすることができることから、接点要素はきわめて短い距離で配置することができる。
【００１６】
電気通信モジュールはまた、内部接点要素を具備することができる。そのような内部接点要素は、内部電線に類似の別の接続機能を実現することができ、一定の用途において、依然として比較的簡素に構成される。このような内部接点要素は、他の接点要素と機械的に接続することができるが、他の接点要素とは電気的に分離することができる。さらに、内部接点要素は、たとえば、はんだ付けによって、ハウジングの外側に延在する接点要素と接続することができる。
【００１７】
上述したように、電気通信モジュールの接点要素は、完全に平坦に形成されることができる。シート金属から接点要素を簡単に打抜き加工することができるため、これは製作コストを削減する。当然のことながら、接点要素はまた、巻線接点として形成されることもでき、さらに、ある程度傾斜されるか、または長手軸を中心にして曲げることができる周知のＬＳＡ＋−接点によって構成要素を成すことができる。
【００１８】
さらに、接点要素は、単一の屈曲部を具備することができる。また、そのような構造によって、接点要素は、比較的簡素に構成され、１つの軸を中心にした曲げ加工を必要とするだけに過ぎない簡単な打抜き加工および曲げ加工の手法によって製作されることができる。曲げ加工によって、接点要素は、二層に形成されることができ、すなわちシート金属の一部が別の部分の上に重ねられた状態となる。続いて、絶縁体除去部分の接点スリットが、このような態様で形成された接点要素から打抜き加工されることができる。さらに、１回の曲げ加工によって、接点要素は、必要に応じて、電気構成要素との確実な電気接続を可能にするために、一端に可撓性タブを備えることができる。
【００１９】
接点要素の構造に関して、このような接点要素はまた、互いに平行な軸を中心にして複数の屈曲部を具備することができる。また、曲げ加工軸が互いに平行であるために、必要な曲げ加工作業は依然として比較的簡単であることから、コスト効率のよい態様でそのような接点要素を製作することができる。接点要素のそのような構造に関して、実現されることになっている機能に関する特有の要件を考慮することができる。しかし、上述した構造の場合には、接点要素は依然として、複数の機能を実現するように構成され、互いに平行でない軸を中心にした曲げ加工を必要とする周知の接点要素より、著しく簡単に構成されることができる。
【００２０】
内部電線は、電線の絶縁体を除去することによって接点要素と接続されることができる。言い換えれば、接点要素は、内部電線の適切な電気接続を可能にするために、ハウジング内に絶縁体除去部分を具備することができる。
【００２１】
さらに、はんだ付けまたは他の方法によって内部電線を接点要素と接続することが考えられる。
【００２２】
電気通信モジュールにおいて、特に対撚り線が用いられるときに、漏話特性を改善することができる。当業者が十分に承知しているように、加入者または電話会社の切替装置につながる電線は通常、対線として設けられる。そのような対線の２本の電線は、１対の接点要素と呼ぶことができる２つの接点要素と接続される。そのような対を成す接点要素は、一般にａ接点およびｂ接点と一般に呼ばれる。同一の信号が対を成す接点要素によって伝送されるとき、これらの接点要素間では漏話は生じない。したがって、そのような対を成す接点要素に接続された内部電線は、互いに可能な限り近い位置に配置することができる。その結果、対を成す接点要素に接続された内部電線が互いに対して撚り合わせられている場合には、接点要素の隣接する対に関する漏話を著しく低減することができる。この効果は通例、電気通信モジュールの外側で用いられているだけに過ぎない。しかし、新規な電気通信モジュールでは、優れた漏話特性を実現するために、対撚り線によって内部配線を実現することができる。
【００２３】
接点要素に関して、電気通信モジュールのハウジングの外側で絶縁体除去接点として形成することができる。しかし、巻線ピンなどの任意の他のタイプの接点も可能である。
【００２４】
電気通信モジュールに収容されることができる電気構成要素は、避雷器、過電流保護装置または過電圧保護装置、フィルタ、スプリッタ回路および／または線の試験および／または監視を行うための構成要素であってもよい。特有の要件に合致した任意の他のタイプの電気構成要素が考えられる。
【００２５】
以下において、本発明の実施形態が、包含された図面を参照してさらに詳細に説明される。
【発明を実施するための最良の形態】
【００２６】
図１は、明確にするため、電気通信モジュールの内部のみを示す。しかし、外部電線との接続が可能であるようにするために、記号１０によって接点要素１２および１４の第１の端部１６がハウジングの外側に延在することを示している。図２から分かるように、接点要素の上述の端部１６は、絶縁体除去部分の構成要素を成す適切なスリット１８を具備している。この部分では、外部電線を接点要素と接続することができる。たとえば、最終的には加入者につながる電線を第１の接点要素１２と接続し、ジャンパ線を第２の接点要素１４と接続することができる。
【００２７】
図１の右から分かるように、電気通信モジュールの内部は、過電流保護装置および／または避雷器などの電気構成要素との接続のために構成される別の接点要素を具備する。一般に、図１からも分かるように、接点要素１２、１４は、対撚り線によって内部接点要素と少なくとも部分的に接続される。これらについては、第１の接点要素１２と第２の接点要素１４との間の電気経路に関する次の詳細の中で説明する。
【００２８】
第１の接点要素１２は、絶縁体除去部分において、接点要素が形成されるシート金属の一部を同シート金属の別の部分の上に配置することによって、二層に形成される。第２の接点要素１４は、全体として同一の態様で形成される。電気経路は、信号が入る第２の接点要素１４から始まる。この場合、第２の接点要素１４は、内部接点要素２６と機械的に接続されるが、電気的には分離していることを留意すべきである。電気経路は、内部電線４０および４２を介して内部接点要素４４および４６へと続く。避雷器（図示せず）にある電圧を印加するために、これらの内部接点要素４４および４６のそれぞれは、１つの内部電線４０および４２にそれぞれタップをつける。過電圧の場合には、避雷器が作動し、電流が適切な接点５０によって地面と接続される。内部接点要素４４、４６およびアース接点５０の配置は３つの極を有し、接地極またはアース極が接地接点５０と接続されるために中心部分に位置している。
【００２９】
さらに電気経路に沿って、内部電線４０および４２はそれぞれ、内部接点要素３８（そのうちの１つが図１で見ることができる）と接続される。隣接する接点要素３８のほか、鏡像を成す対向する内部接点要素がそれぞれ、対５４（図２）を形成する。図２においても分かるように、対５２および５４を成す隣接する接点要素は、対撚り線によって別の接点要素と接続される。内部接点要素３０のほか、鏡像を成す対向する内部接点要素３８は、過電流保護装置（図示せず）を受け入れるように構成される。内部接点要素３０および３８の図１に示された状況では互いに当接する部分３４と３６との間に、ハウジングの外側から過電流保護装置を挿入することができるように電気通信モジュールのハウジング（図示せず）を構成することができる。しかし、過電流保護装置が挿入されるとき、電流は、第２の接点要素１４から内部電線４０または４２を介して内部接点要素３８に流れ、過電流保護装置を通って内部接点要素３０に流れる。過電流保護装置が電気経路に位置するという事実のために、この保護装置は過電流の場合に作動し、過電流が電気通信モジュールと接続される機器を破損しないように、電気接続が遮られる。
【００３０】
電気経路は、対を成す内部接点要素３０から、電線２８および３２からなる対撚り線を介して、第２の接点要素１４と機械的に接続されるが、電気的には接続されない内部接点要素２６まで続く。これに関連して、第１の接点要素１２は、互いに平行である軸を中心にして複数の屈曲部を有し、分離点の第１の側を形成する点２２を具備する第２の部分２０を具備することに言及すべきである。分離点の第２の側は、内部接点要素２６の対応する点２４によって形成される。当業者が十分に承知しているように、たとえば試験目的のために、外側から挿入する（一般に図１によれば左側から挿入する）ことができる適切な分離手段によって、点２２と点２４との間の電気接続を分離することができる。
【００３１】
図示されている非分離状態において、電気経路は、内部接点要素２６の右部分から第１の接点要素１２の点２２へと続く。
【００３２】
図１に基づいて十分に理解されるように、一般に、図１に示されたすべての接点要素の機能と接点要素間を接続する内部電線の機能の両方を実現する接点要素を設計することが可能である。しかし、そのような接点要素は、きわめて複雑な構造を有し、図１に示される４４および４６などの内部接点要素との接続を可能にするための特有の方策を必要とする。内部電線２８、３２、４０および４２によって、接点要素は、比較的簡素な状態を維持することができる。特に、接点要素は、完全に平坦に形成することができ、および／または接点要素１４などの単一の屈曲部を具備することができる。他の接点要素はすべて、互いに平行な軸を中心とした屈曲部を具備するだけに過ぎない。最後に、対撚り線を介した接続によって、漏話特性を著しく改善することができる。
【００３３】
図２は、平面図において、複数の接点要素とその間の対撚り線を介した接続の内部配置を示す。図２の配置は、外側から１０本の対撚り線の接続を可能にするように構成される接続モジュールに適用可能であるため、合計２０個の第１の接点要素１２および２０個の第２の接点要素１４がそれぞれ必要とされる。図２から分かるように、隣接する接点要素は、接点要素の対５２を形成する。そのような対５２を成す接点要素は、対撚り線によって、図２の５４によって示される接点要素の別の対と接続される。全く同一の対の接点間には、漏話は生じないという事実のために、このことが可能である。しかし、電気通信モジュールの内部では、対撚り線によって隣接する対５２、５４の間の漏話を著しく低減することができる。
【００３４】
当業者が認識しているように、３つの極を有する避雷器を用いて、過電圧から対５２の両方の電気経路を保護することができる。図２において、第１の内部電線４０と第２の内部電線４２を有する接続点５８との間の接続点５６が示されている。これらの接続点では、内部接点要素４４および４６は、それぞれの内部電線４０および４２と接続される。
【００３５】
図２には示されていないアース接点５０は、１０箇所の接点対の保護のために設けられる合計１０個の避雷器を、過電圧保護を行うために地面と接続することができるようにするために、図３に示されているような構造を有する。接地接点５０は一般に、シート金属の平坦なストリップとして形成され、複数の略谷状の凹部６０が略円筒形状を有する避雷器の中心部分を収容するように形成される。適切なスリット６２が、避雷器との確実な電気接続を実現するために、可撓性を備えた谷６０の縁を提供するように形成される。
【００３６】
図４は、電気通信モジュール６４の一部切欠図を示す。電気通信モジュール６４は、通常はプラスチック材料からなるハウジング６６を具備する。図示された事例には、ハウジングは、電気通信モジュール６４を適切なキャリアに取付け可能にするために、その各側に掛止手段６８または他の適切な構造を備えている。さらに、電気通信モジュールの図示された実施形態は、避雷器を収めるために、合計１０個のチャンバまたは区画７０を具備する。以下にさらに詳細に記載したように、これらのチャンバまたは区画は、電気通信モジュールの接点要素と接触している。電気通信モジュール６４は、図示された事例では、合計２０個の接点要素１４に１０本の対線を受け入れるように構成される。２つの隣接する接点要素１４が、対５２を形成する。図４の切開部分３７において分かるように、および図２にさらに詳細に示されているように、特定の対５２の接点要素１４は、内部電線４０、４２からなる対撚り線によって、別の対５４の接点要素と接続される。図４に示されている配置は、図２に示され、上記で詳細に記述した配置に対応することから、さらに詳細な説明は必要でないと思われる。
【００３７】
これは、図５にも当てはまる。図５は、２つの接点要素１４からなり、内部電線４０、４２によって接点要素の別の対５４と接続される対５２を本質的に示す。配置は、電気通信モジュール６４のハウジング６６の部分が加えられた図２に示されている配置に対応する。図５は、接点要素１２および対５４の接点要素が、確実な態様でハウジング６６の中にどのように収容されるかを明確にする。
【００３８】
これは、さらに図６から分かる。図示された事例では、ハウジング６６は、第１の上方部品７４および第２の下方部品７６からなる。上方部品７４には、接点要素１２、１４および内部接点要素２６（図１も参照）が配置されている。下方部品７６には、過電流保護装置（図示せず）に接触することを目的とする内部接点要素３０および３８が収容される。さらに、ハウジングの下方部品７６は、避雷器８０を収容するためのチャンバ７０（図４参照）が形成される突出部７８を具備する。さらに、避雷器８０と接触する内部接点要素４４および４６、接地接点５０および内部電線２８、３２のほか、内部電線４０、４２が配置される。図面から分かるように、ハウジングの上方部品７４および下方部品７６は、中央部分Ａで互いに重なる。
【図面の簡単な説明】
【００３９】
【図１】本発明の電気通信モジュールの具体的な実施形態の接点要素および内部電線の側面図を示す。
【図２】図１の配置の平面図を示す。
【図３】電気通信モジュールに設けられる接地接点の具体的な実施形態の側面図を示す。
【図４】電気通信モジュールの一部切欠図を示す。
【図５】図４の詳細を示す。
【図６】図４の電気通信モジュールの断面図を示す。
【図１】
2007500490.tif 000003
【図２】
2007500490.tif 000004
【図３】
2007500490.tif 000005
【図４】
2007500490.tif 000006
【図５】
2007500490.tif 000007
【図６】
2007500490.tif 000008
【国際調査報告】
2007500490.tif 000009
2007500490.tif 000010